(57)【要約】  【課題】  光ディスク装置において、光ピックアップに接続するフレキシブルプリント配線基板を固定し保護する技術の提供。  【解決手段】  板状またはシート状の絶縁材から成る第１の部材を、主回路基板と光ピックアップとの間を接続するフレキシブルプリント配線基板上に配し、該第１の部材上において該フレキシブルプリント配線基板の配線部分の両側に、突起部を有した第２の部材を配し、該突起部を主回路基板の平面領域内の孔に挿入するなどして該主回路基板に結合し、該第２の部材が、該第１の部材を介し該フレキシブルプリント配線基板を片面側から該主回路基板側に押し付けて固定する構成とする。【選択図】  図２
2007058889.tif 000002
【特許請求の範囲】
【請求項１】
信号処理回路を備えた回路基板と光ピックアップとの間がフレキシブルプリント配線基板で接続される光ディスク装置であって、
板状またはシート状の絶縁材から成り、上記回路基板の光ピックアップ対向面側において上記フレキシブルプリント配線基板上に該配線基板に密接して配される第１の部材と、
上記回路基板また上記第１の部材に対向する面内に突起部を有し、該第１の部材の面上に配され、該突起部が上記回路基板の平面領域内で該回路基板に結合される第２の部材と、
を備え、上記第２の部材が、上記第１の部材を介し上記フレキシブルプリント配線基板を、上記第１の部材に対向する面で上記回路基板側に押し付けて固定する構成としたことを特徴とする光ディスク装置。
【請求項２】
上記第１の部材は、上記フレキシブルプリント配線基板に接着剤または粘着剤により固定される構成である請求項１に記載の光ディスク装置。
【請求項３】
上記回路基板は、その平面領域内に上記第２の部材の上記突起部に対応した孔を有し、
上記第２の部材は、上記突起部が上記回路基板の孔内に挿入されることで、該回路基板に結合される構成である請求項１または請求項２に記載の光ディスク装置。
【請求項４】
上記第１の部材、上記フレキシブルプリント配線基板のいずれか一方または両方は、上記回路基板の孔に対応した位置に貫通孔を有し、上記第２の部材の上記突起部が該貫通孔を通って上記回路基板の孔内に挿入される構成である請求項３に記載の光ディスク装置。
【請求項５】
上記第２の部材は、プラスチック材で構成され、上記第１の部材に対向する面を構成する部分と上記突起部とが一体状に形成された構成である請求項１に記載の光ディスク装置。
【請求項６】
上記フレキシブルプリント配線基板は、上記光ピックアップに対しては直接接続され、上記回路基板に対してはコネクタにより接続された構成である請求項１に記載の光ディスク装置。
【発明の詳細な説明】
【技術分野】
【０００１】
本発明は、信号処理回路を備えた回路基板と光ピックアップとの間がフレキシブルプリント配線基板で接続される光ディスク装置に係り、特に、該配線基板の配線を保護する技術に関する。
【背景技術】
【０００２】
最近、光ディスク装置として、光ピックアップに、青色レーザーを含む３波長のレーザーを出射可能にした構成のものが使われ始めている。かかる光ピックアップは、寸法が増大し大型化しているとともに、フレキシブルプリント配線基板も、配線数が多く表面積が広いものとなっている。かかるフレキシブルプリント配線基板では、光ピックアップとの間の接続にコネクタを用いた場合には接続の信頼性を確保できないおそれがあるため、該フレキシブルプリント配線基板は、コネクタを介さずに直接、光ピックアップに接続する構成としている。このため、該フレキシブルプリント配線基板に損傷等の不良要因が発生した場合には、光ピックアップもいっしょに交換する必要があり、特にコスト的に問題となる。また、表面積が広いフレキシブルプリント配線基板を折り返し構造とした場合には、該折り返し部の曲率半径が大きくなって光ピックアップ側に盛り上がった配線基板形状となり、移動する光ピックアップに該盛り上がり部が接触してしまうなどの不都合が発生する。これらを改善すべく、フレキシブルプリント配線基板を固定して、上記盛り上がりをなくすとともに、該配線基板を保護することが可能な技術が求められている。
本発明に関連した従来技術であって、フレキシブルプリント配線基板の折り返し部の盛り上がりを抑える技術としては、例えば、実開昭６４−３９６９１号公報（特許文献１）に記載されたものがある。該公報には、固定用板部材の端部に形成される帯状のフレキシブルプリント配線板（フレキシブルプリント配線基板）の折り返し部において、該固定用板部材とその両側のフレキシブルプリント配線板とを板厚方向にコ字状のクランプ部材で弾性的に挟み固定するとした構成が記載されている。
【０００３】
【特許文献１】実開昭６４−３９６９１号公報
【発明の開示】
【発明が解決しようとする課題】
【０００４】
上記従来技術では、コ字状のクランプ部材を直接にフレキシブルプリント配線板の表面に当接させ、該クランプ部材の弾性復元力で該フレキシブルプリント配線板の表面を押して該フレキシブルプリント配線板を固定する構成のため、（１）該クランプ部材の端面部でフレキシブルプリント配線板の応力集中が起こり易く、このためにフレキシブルプリント配線板の配線部分が損傷を受け易い。また、（２）フレキシブルプリント配線板の表面が直接、クランプ部材で押されるため、該表面が損傷を受け易い。該クランプ部材を装着する際にも、フレキシブルプリント配線板の表面を傷め易い。（３）コ字状のクランプ部材を用いる構成のため、該部の平面寸法が増大する、などが懸念される。
【０００５】
本発明の課題点は、上記従来技術の状況に鑑み、光ディスク装置において、信号処理回路を備えた回路基板と光ピックアップとの間を接続するフレキシブルプリント配線基板を、簡易な構成で装着作業が容易かつ該フレキシブルプリント配線基板の表面や配線部を傷めない固定手段により、折り返し部にも盛り上がりをなくした状態で固定できるようにすることである。
本発明の目的は、かかる課題点を解決し、信頼性を向上させた光ディスク装置を提供することにある。
【課題を解決するための手段】
【０００６】
上記課題点を解決するために、本発明では、光ディスク装置において、板状またはシート状の絶縁材から成る第１の部材を、主回路基板と光ピックアップとの間を接続するフレキシブルプリント配線基板上に配し、該第１の部材上において該フレキシブルプリント配線基板の配線部分の両側に、突起部を有した第２の部材を配し、該突起部を主回路基板の平面領域内の孔に挿入するなどして該主回路基板に結合し、該第２の部材が、該第１の部材を介し該フレキシブルプリント配線基板を片面側から該主回路基板側に押し付けて固定する構成とする。
【発明の効果】
【０００７】
本発明によれば、光ディスク装置において、主回路基板と光ピックアップとの間を接続するフレキシブルプリント配線基板の損傷を防止することが可能となり、装置の信頼性を向上させることができる。
【発明を実施するための最良の形態】
【０００８】
以下、本発明の実施例につき、図面を用いて説明する。
図１〜図４は本発明の第１の実施例の説明図である。図１は、本発明の第１の実施例としての光ディスク装置の平面構成例図、図２は、図１の光ディスク装置の側面構成の説明図、図３は、フレキシブルプリント配線基板の折り返し部における固定構造の説明図、図４は、フレキシブルプリント配線基板を固定する固定用部材（第２の部材）の構成例図である。それぞれの図面において、同じ構成要素には同じ符号を付すとする。
なお、本第１の実施例の光ディスク装置は、光ピックアップとして、青色レーザー、ＣＤ用レーザー、ＤＶＤ用レーザーの３波長のレーザーを出射可能な構成を有し、該光ピックアップと主回路基板との間を接続するフレキシブルプリント配線基板も該光ピックアップに対応した配線数及び表面積のものを用い、該光ピックアップに対しては該フレキシブルプリント配線基板が、コネクタ等によらずに、半田などにより直接的に接続されているものとする。また、該フレキシブルプリント配線基板は、主回路基板に対しては折り返し部を経てコネクタにより接続されるものとする。
【０００９】
図１において、１は光ディスク装置、１２は光ディスク（図示なし）を回転駆動するディスクモータ、１３は、光ディスクの略半径方向に移動しながら、該光ディスクに対して情報の記録または再生を行う光ピックアップ、１３ａは、光ピックアップ１３内の対物レンズ、１４は主回路基板、１５は、光ピックアップ１３と主回路基板１４との間を接続するフレキシブルプリント配線基板、１８は、フレキシブルプリント配線基板１５を主回路基板１４側に固定するための固定用部材（第２の部材）、２１は、光ピックアップ１３を光ディスクの略半径方向に移動させるために、リードスクリュー部材（図示なし）を回転駆動するステッピングモータ、２２、２３は、光ピックアップ１３の光ディスクの略半径方向への移動を案内するためのガイド部材である。
【００１０】
主回路基板１４には、信号処理回路すなわち光ピックアップ１３との間でやり取りする記録または再生用の信号の生成など信号処理を行う回路や、ＤＳＰやマイコンなどの制御回路や、ディスクモータ１２などのモータを駆動する駆動回路などが搭載されている。フレキシブルプリント配線基板１５は、ディスクモータ１２とは反対側の位置において、その配線用導体が、該光ピックアップ１３内の配線用端子に半田等によって接続され、帯状の部分が、図１の座標軸の−Ｙ軸方向に伸び、所定の適切な長さ位置で折り返されて第１の折り返し部を形成し、さらに主回路基板１４の面（Ｚ軸方向側の面）に沿ってＹ軸方向に伸び、該主回路基板１４の端部に近い所定位置の部分で、固定用部材１８により、該主回路基板１４の面上に押し付けられた状態で固定されている。該フレキシブルプリント配線基板１５は、該固定部分のさらに先の帯状部分が、主回路基板１４の端部で第２の折り返し部を形成し、主回路基板１４の面（−Ｚ軸方向側の面）側に回り込んだ状態となって、該主回路基板１４の面（−Ｚ軸方向側の面）上のコネクタ（図示なし）に接続されている。上記第１の折り返し部は、光ディスク（図示なし）と主回路基板１４の面（Ｚ軸方向側の面）との間に形成され、光ピックアップ１３の移動に伴ってＹ軸方向または−Ｙ軸方向の位置が変化する。第２の折り返し部は、上記のように、主回路基板１４の端部に形成され、上記第１の折り返し部との間に固定用部材１８による固定部分が設けられるため、光ピックアップ１３の移動に伴う位置変化も形状変化もない。
【００１１】
なお、図１の構成では、固定用部材１８は、その長さ方向をフレキシブルプリント配線基板１５の長さ方向に略直交させてあるが、これに限定されず、斜めに交差させる構成としてもよい。また、図１の構成には図示されていないが、フレキシブルプリント配線基板１５と固定用部材１８との間には、フレキシブルプリント配線基板１５に密接した状態で、板状またはシート状の絶縁材から成り該配線基板を補強可能な部材（第１の部材）が配されているものとする。また、該部材は、接着剤または粘着剤によりフレキシブルプリント配線基板１５の面上に固定されているものとする。
以下、説明中で用いる図１中の構成要素には、図１の場合と同じ符号を付して用いるとする。
【００１２】
図２は、図１の光ディスク装置の側面構成の説明図である。
図２において、１７は、板状またはシート状の絶縁材から成り、フレキシブルプリント配線基板１５上に密接状態で配され該配線基板を補強可能な第１の部材としての保護部材、１４ａは、主回路基板１４の端部、１６はコネクタ、１５１は、フレキシブルプリント配線基板１５の第１の折り返し部、１５２は、フレキシブルプリント配線基板１５の第２の折り返し部、１５１Ａは、光ピックアップ１３が位置Ａにあるときの第１の折り返し部、１５１Ｂは、光ピックアップ１３が位置Ｂにあるときの第１の折り返し部である。他の符号は、図１の場合と同様である。フレキシブルプリント配線基板１５は、主回路基板１４の端部１４ａに近い部分においてその面上に、第１の部材としての保護部材１７が接着剤または粘着剤で固定され、さらに該保護部材１７の上に、第２の部材としての固定用部材１８が配されている。本図２では図示されないが、固定用部材１８は、フレキシブルプリント配線基板１５の配線部分の両側に該当した部分すなわち該配線基板１５の配線部分の幅を超えた間隔部分に突起部を有し、該突起部が主回路基板１４の平面領域内で該主回路基板１４の孔に挿入され該主回路基板１４に結合されるようになっている。かかる構成により、該固定用部材１８は、保護部材１７を介してフレキシブルプリント配線基板１５を、主回路基板１４の面上に押し付けた状態で固定する。該固定により、第２の折り返し部１５２における折り返し形状が、フレキシブルプリント配線基板１５の盛り上がりがない形状とされる。
【００１３】
図２において、光ピックアップ１３が、光ディスクの略半径方向（矢印Ｅの方向）に移動し、位置Ａから位置Ｂに移動するとフレキシブルプリント配線基板１５上の第１の折り返し部１５１は、第１の折り返し部１５１Ａの位置から、第１の折り返し部１５１Ｂの位置に移動し、形状も該位置変化に対応して変化する。光ピックアップ１３が、位置Ｂ側から位置Ａ側に移動する場合も同様である。該第１の折り返し部１５１と、固定用部材１８及び保護部材１７による固定部分との間の部分では、フレキシブルプリント配線基板１５は、光ピックアップ１３の該移動時も、その面がほぼ主回路基板１４の面に沿った状態となる。第２の折り返し部１５２も、光ピックアップ１３の該移動の影響が、固定用部材１８及び保護部材１７により遮断されるため、その折り返し形状も折り返し位置も変化せず一定に保たれる。
【００１４】
図３は、折り返し部１５２におけるフレキシブルプリント配線基板１５の主回路基板１４側への固定構造の説明図である。
図３において、１８ａ、１８ｂは、固定用部材１８に設けられた突起部、１４０ａ、１４０ｂは、固定用部材１８の突起部１８ａ、１８ｂがそれぞれ挿入される主回路基板１４の平面内の孔、１５０ａ、１５０ｂは、同じく固定用部材１８の突起部１８ａ、１８ｂがそれぞれ挿入されるフレキシブルプリント配線基板１５の配線部分の外側に設けた孔、１７０ａ、１７０ｂは、同じく固定用部材１８の突起部１８ａ、１８ｂがそれぞれ挿入される保護部材１７の平面内の孔である。突起部１８ａが、孔１７０ａ、１５０ａを貫通して孔１４０ａに挿入され、突起部１８ｂが、孔１７０ｂ、１５０ｂを貫通して孔１４０ｂに挿入されることで、フレキシブルプリント配線基板１５が主回路基板１４の平面内に固定される。なお、図３の構成では、保護部材１７は、孔１７０ａ、１７０ｂが設けられるため、接着剤や粘着剤でフレキシブルプリント配線基板１５の面上に固定されない場合にもフレキシブルプリント配線基板１５に対する位置決めが可能となる。
【００１５】
図４は、第２の部材としての固定用部材１８の構成例図で、第１の部材としての保護部材１７に対向する面側の構成を示す。図４の固定用部材１８において、１８ｓは、保護部材１７に対向する面、１８ｃは、該対向する面１８ｓを構成するとともに、両突起部１８ａ、１８ｂ間を結合する本体部分である。本構成では、突起部１８ａ、１８ｂをそれぞれ２つの対状の突起片で構成し、突起部１８ａは、突起片１８ａ１、１８ａ２から、また、突起部１８ｂは、突起片１８ｂ１、１８ｂ２から成る。本固定用部材１８は、例えばプラスチック材の成形によりで構成され、突起部１８ａを構成する突起片１８ａ１、１８ａ２や、突起部１８ｂを構成する突起片１８ｂ１、１８ｂ２も、本体部分１８ｃと一体状に連続した構造とされる。各突起片１８ａ１、１８ａ２、１８ｂ１、１８ｂ２は、それぞれの先端部に、外側方向に突出した部分で形成されたフック状部分を有し、弾性曲げ変形が可能な構成である。また、突起片１８ａ１、１８ａ２の配列方向と、突起片１８ｂ１、１８ｂ２の配列方向とが互いに直交するようにされている。対状の突起片１８ａ１、１８ａ２及び１８ｂ１、１８ｂ２はそれぞれ、弾性曲げ変形して主回路基板１４の平面内の孔１４０ａ、１４０ｂ内に挿入され、挿入後にフック状部分の相互間の間隔が開いて、各突起部１８ａ、１８ｂが、孔１４０ａ、１４０ｂからはずれないようにされる。該突起片１８ａ１、１８ａ２及び１８ｂ１、１８ｂ２がそれぞれ、孔１４０ａ、１４０ｂ内に挿入された状態で、上記対向する面１８ｓが、上記保護部材１７を介し上記フレキシブルプリント配線基板１５を上記主回路基板１４側に押し付けて固定する。
【００１６】
上記第１の実施例の光ディスク装置１によれば、簡易構成かつ装着作業が容易な技術により、主回路基板１４と光ピックアップ１３との間を接続するフレキシブルプリント配線基板１５の損傷を防止し、装置の信頼性を向上させることができる。特に、第１の部材としての保護部材１７と、第２の部材としての固定用部材１８とを用いてフレキシブルプリント配線基板１５を主回路基板１４側に固定する構成のため、保護部材１７によりフレキシブルプリント配線基板１５の応力集中などを回避することができ該配線基板１５の保護性を高めることができる。また、該固定部の組み込み時にも、フレキシブルプリント配線基板１５及び保護部材１７の上に固定用部材１８を載せて組み込みを行うため、フレキシブルプリント配線基板１５を傷めずに容易に組み込み作業を行うことができる。また、主回路基板１４の平面領域内で固定用部材１８を該主回路基板１４と結合する構成のため、該固定部の平面寸法が増大することもない。
【００１７】
なお、上記第１の実施例においては、固定用部材１８の突起部１８ａ、１８ｂをそれぞれ、主回路基板１４の孔１４０ａ、１４０ｂ内に挿入することで、フレキシブルプリント配線基板１５を該主回路基板１４側に押し付けて固定する構成としたが、該孔１４０ａ、１４０ｂと実質的に同等以上の作用・効果が得られる手段であれば、それによって、固定用部材１８の突起部を主回路基板１４側に係合させるようにしてもよい。また、上記第１の実施例では、フレキシブルプリント配線基板１５が、光ピックアップ１３に対してはコネクタを用いずに半田等により直接接続され、主回路基板１４に対してはコネクタ１６により接続される構成としたが、本発明では該それぞれの接続は、半田等の場合またはコネクタの場合とそれぞれ実質的に同等以上の作用・効果が得られる手段であれば、それによって行うようにしてもよい。ただし、フレキシブルプリント配線基板１５が、光ピックアップ１３に対して直接接続された構成においては、特に本発明の効果は顕著になる。
【００１８】
図５、図６は、本発明の第２の実施例の説明図である。上記第１の実施例では、第２の部材としての固定用部材１８を、１つの本体部分１８ｃに２個の突起部１８ａ、１８ｂを備え、該２個の突起部１８ａ、１８ｂをフレキシブルプリント配線基板１５の幅方向の両側部分で主回路基板１４側に係合させる構成としたが、本第２の実施例では、固定用部材を、突起部毎に本体部分を有する構成とし、該固定用部材をフレキシブルプリント配線基板１５の幅方向の両側部分にそれぞれ別個に配し、該それぞれの部分で、保護部材１７を介しフレキシブルプリント配線基板１５を主回路基板１４側に押し付けて固定する構成とする。
【００１９】
図５は、本発明の第２の実施例における固定用部材の構成例図である。
図５において、１９は、第２の部材としての固定用部材、１９１は、固定用部材１９の本体部分、１９１ｓは、本体部分１９１に構成され保護部材１７に対向する面、１９２は突起部である。本第２の実施例では、該固定用部材を複数個（例えば２個）用いフレキシブルプリント配線基板１５の幅方向の両側部分に配する。フレキシブルプリント配線基板１５の幅方向の両側部分それぞれにおいて、各固定用部材１９の突起部１９２が主回路基板１４の平面領域内の孔１４０ａ、１４０ｂ内に挿入された状態で、上記対向する面１９１ｓが、保護部材１７を介しフレキシブルプリント配線基板１５を主回路基板１４側に押し付けて固定する。
【００２０】
図６は、固定用部材１９によるフレキシブルプリント配線基板１５の固定構造の説明図である。
図６において、１９ａ、１９ｂはそれぞれ固定用部材、１９１ａは固定用部材１９ａの本体部分、１９１ｂは固定用部材１９ｂの本体部分、１９２ａは固定用部材１９ａの突起部、１９２ｂは固定用部材１９ｂの突起部である。上記第１の実施例の場合と同様、主回路基板１４の孔１４０ａ、フレキシブルプリント配線基板１５の孔１５０ａ及び保護部材１７の孔１７０ａは互いに略重なる位置に設けられ、主回路基板１４の孔１４０ｂ、フレキシブルプリント配線基板１５の孔１５０ｂ及び保護部材１７の孔１７０ｂは互いに略重なる位置に設けられている。また、保護部材１７は、接着剤や粘着剤によりフレキシブルプリント配線基板１５の面上に固定されているとする。かかる構成において、固定用部材１９ａは、突起部１９２ａが、孔１７０ａ、１５０ａを貫通して孔１４０ａに挿入されることで、固定用部材１９ａの本体部分１９１ａが保護部材１７を介してフレキシブルプリント配線基板１５の孔１５０ａの周囲が押され、該フレキシブルプリント配線基板１５が主回路基板１４側に固定され、また、突起部１９２ｂが、孔１７０ｂ、１５０ｂを貫通して孔１４０ｂに挿入されることで、固定用部材１９ｂの本体部分１９１ｂが保護部材１７を介してフレキシブルプリント配線基板１５の孔１５０ｂの周囲が押され、該フレキシブルプリント配線基板１５が主回路基板１４側に固定される。図６の構成においても、保護部材１７には、１７０ａ、１７０ｂが設けられているため、接着剤や粘着剤でフレキシブルプリント配線基板１５の面上に固定されない場合にもフレキシブルプリント配線基板１５に対しての位置決めが可能となる。
【００２１】
上記第２の実施例によっても、上記第１の実施例の場合と同様、簡易構成かつ装着作業が容易な技術により、主回路基板１４と光ピックアップ１３との間を接続するフレキシブルプリント配線基板１５の損傷を防止し、装置の信頼性を向上させることができる。また、主回路基板１４の平面領域内で固定用部材１９を該主回路基板１４と結合する構成のため、該固定部の平面寸法の増大も抑えられる。
【００２２】
なお、上記第２の実施例においても、固定用部材１９ａ、１９ｂの突起部１９２ａ、１９２ｂをそれぞれ、主回路基板１４の孔１４０ａ、１４０ｂ内に挿入することで、フレキシブルプリント配線基板１５を該主回路基板１４側に押し付けて固定する構成としたが、該孔１４０ａ、１４０ｂと実質的に同等以上の作用・効果が得られる手段であれば、それによって、固定用部材１９の突起部１９２ａ、１９２ｂを主回路基板１４側に係合させるようにしてもよい。また、フレキシブルプリント配線基板１５には孔１５０ａ、１５０ｂは設けず、固定用部材１９ａ、１９ｂの突起部１９２ａ、１９２ｂがそれぞれ、保護部材１７の孔１７０ａ、１７０ｂを貫通して主回路基板１４の孔１４０ａ、１４０ｂ内に挿入される構成としてもよい。かかる構成とした場合には、フレキシブルプリント配線基板１５の幅方向寸法を、孔１５０ａ、１５０ｂを設けた場合に比べて小さくすることができ、フレキシブルプリント配線基板１５は、保護部材１７を介した所定の位置決めと主回路基板１４側への固定が可能となる。
【図面の簡単な説明】
【００２３】
【図１】本発明の第１の実施例の光ディスク装置の構成例図である。
【図２】図１の光ディスク装置の側面構成の説明図である。
【図３】図１の光ディスク装置におけるフレキシブルプリント配線基板の固定構造の説明図である。
【図４】図１の光ディスク装置におけるフレキシブルプリント配線基板の固定用部材の構成例図である。
【図５】本発明の第２の実施例におけるフレキシブルプリント配線基板の固定用部材の構成例図である。
【図６】本発明の第２の実施例におけるフレキシブルプリント配線基板の固定構造の説明図である。
【符号の説明】
【００２４】
１…光ディスク装置、
１２…ディスクモータ、
１３…光ピックアップ、
１３ａ…対物レンズ、
１４…主回路基板、
１５…フレキシブルプリント配線基板、
１６…コネクタ、
１７…保護部材、
１８、１９、１９ａ、１９ｂ…固定用部材、
１８ａ、１８ｂ、１９２ａ、１９２ｂ…突起部、
１８ｃ、１９１ａ、１９１ｂ…固定用部材の本体部分、
２１…ステッピングモータ、
２２、２３…ガイド部材、
１５１…第１の折り返し部、
１５２…第２の折り返し部、
１４０ａ、１４０ｂ、１５０ａ、１５０ｂ、１７０ａ、１７０ｂ…孔。
【図１】
2007058889.tif 000003
【図２】
2007058889.tif 000004
【図３】
2007058889.tif 000005
【図４】
2007058889.tif 000006
【図５】
2007058889.tif 000007
【図６】
2007058889.tif 000008